(57)【特許請求の範囲】
【請求項１】
下げ振り糸（１）を巻き取るリール（２０）を包蔵したケース（１０）に、先端の針本体（４１）が前記ケース（１０）の取付面（１０ａ）から突没可能であると共に後部の針柄（４２）が前記ケース（１０）の背面（１０ｃ）から突出した状態で挿入された止め針（４０）を有する下げ振り保持器において、
前記止め針（４０）に形成された係合突起（４２ｂ）との当接によって前記止め針（４０）を前記針本体（４１）が前記ケース（１０）内に完全に収容状態となる位置で後退方向への抜け止めをするストッパ（１５ｃ）と、
このストッパ（１５ｃ）と一体であって前記ケース（１０）に可動状態に設けられ前記ストッパ（１５ｃ）を前記係合突起（４２ｂ）との非干渉位置へ強制変位させるスライダ（１５）と、
を有することを特徴とする止め針交換機構を備えた下げ振り保持器。
【請求項２】
下げ振り糸（１）を巻き取るリール（２０）を包蔵したケース（１０）に、先端の針本体（４１）が前記ケース（１０）の取付面（１０ａ）から突没可能であると共に後部の針柄（４２）が前記ケース（１０）の背面（１０ｃ）から突出した状態で挿入された止め針（４０）を有する下げ振り保持器において、
前記止め針（４０）に形成された係合突起（４２ｂ）に前記止め針（４０）の刺し込み・引き抜き動作を許容した状態で係合されると共に前記係合突起（４２ｂ）との干渉により非係合方向へ変位されるストッパ（１８ａ）が自由端に形成された板バネ（１８）と、
前記ケース（１０）に可動状態に設けられ前記ストッパ（１８ａ）の前記非係合方向への変位を規制又はこの規制を解除するスライダ（１９）と、
を備えることを特徴とする止め針交換機構を備えた下げ振り保持器。
【発明の詳細な説明】
【０００１】
【発明の属する技術分野】
本発明は、建築施工において水平面に対する施工部の鉛直性の確認や地墨合わせをするための下げ振りを懸吊支持する下げ振り保持器であって、特に、固定用の止め針の交換機構を備えたものに関する。
【０００２】
【従来の技術】
下げ振り保持器の一種として、ケースに止め針が突没自在に設けられ、この止め針の刺し込みによって建築物の木製柱等に固定できるようにしたものがあり、その典型的な従来技術が、特開平７−１９０７８１号公報に開示されている。この種の下げ振り保持器は、下げ振りによる鉛直出し作業終了後、ケースに設けたハンドルの揺動操作によって止め針を引き抜くようにしてある。
【０００３】
【発明が解決しようとする課題】
一般に、この種の下げ振り保持器の止め針は、刺し込みや引き抜きを繰り返し行うことによって、針先が曲がったり折損してしまうことがあり、このような場合は止め針を交換する必要がある。ところが、上記従来技術の下げ振り保持器によれば、止め針の交換に際してはカバーをケースから取り外さなければならないため、カバーを紛失する恐れがある。しかも、下げ振りによる鉛直出し作業の際には、下げ振りの錘体によってケースに作用する荷重を、このケースに被せた前記カバーを介して支持するといった構造にならざるを得ない。
【０００４】
本発明は、上記のような事情のもとになされたもので、その技術的課題とするところは、相手木材等に止め針で固定するようにした下げ振り保持器において、前記止め針の交換作業を容易・迅速に行うことを可能とすることにある。
【０００５】
【課題を解決するための手段】
上述した技術的課題を有効に解決するための手段として、本発明に係る止め針交換機構を備えた下げ振り保持器は、下げ振り糸を巻き取るリールを包蔵したケースに、先端の針本体が前記ケースの取付面から突没可能であると共に後部の針柄が前記ケースの背面から突出した状態で挿入された止め針を有する下げ振り保持器において、前記止め針に形成された係合突起との当接によって前記止め針を前記針本体が前記ケース内に完全に収容状態となる位置で後退方向への抜け止めをするストッパと、このストッパと一体であって前記ケースに可動状態に設けられ前記ストッパを前記係合突起との非干渉位置へ強制変位させるスライダとを有するものである。なお、ここで「後退方向」とは止め針の刺し込み方向と逆の方向すなわち引き抜き方向をいう。
【０００６】
上記構成の止め針交換機構を備えた下げ振り保持器において、相手木材等に対する刺し込み・引き抜き動作のための移動を許容された状態でケースに挿入された止め針は、その係合突起がストッパと干渉することによって、針本体が前記ケース内に完全に収容状態となる位置からの後退移動が規制され、ケースからの脱落が阻止されている。また、止め針の繰り返し使用によって、針本体が曲がったり折損したような場合は、ケースに設けられたスライダを手動変位させることによって、ストッパを非係合方向に強制変位させる。このようにすれば、止め針を引き抜き方向に移動させる過程でその係合突起が前記ストッパと干渉することがなく、このためケースから止め針を抜き取って新しいものと交換することができる。
【０００７】
また、他の解決手段として、本発明に係る止め針交換機構を備えた下げ振り保持器は、止め針に形成された係合突起に前記止め針の刺し込み・引き抜き動作を許容した状態で係合されると共に前記係合突起との干渉により非係合方向へ変位されるストッパが自由端に形成された板バネと、ケースに可動状態に設けられ前記ストッパの前記非係合方向への変位を規制又はこの規制を解除するスライダとを備えるものである。
【０００８】
この構成においては、ストッパは、通常はスライダによって止め針の係合突起と干渉可能な位置で変位規制されており、このため、相手木材等に対する刺し込み・引き抜き動作のための移動を許容された状態でケースに挿入された止め針は、その係合突起がストッパと干渉することによって、針本体が前記ケース内に完全に収容状態となる位置からの後退移動が規制され、ケースからの脱落が阻止される。また、止め針の繰り返し使用によって、針本体が曲がったり折損したような場合は、前記スライダによる前記ストッパの変位規制を解除して、止め針を後退方向へ移動させると、この止め針の係合突起との干渉によって前記ストッパが非係合方向へ摺動変位され、止め針に対する抜け止め状態が解除されるので、ケースから止め針を抜き取って新しいものと交換することができる。
【０００９】
【発明の実施の形態】
図１は本発明に係る止め針交換機構を備えた下げ振り保持器の第一の実施形態を示す内部構造説明図である。参照符号１０は、複数のビス穴１１の各々にねじ込まれるビス（図示省略）によって図示の面と直交する方向に対称に組み合わされるケースで、すなわち図１は、一方のケースを取り去って内部を露出させた状態を示している。
【００１０】
参照符号２０はケース１０内に収納されこのケース１０に形成された軸２１の周りに回転自在に設けられて下げ振り糸１を巻き取るリールであり、図示されていない渦巻きバネによって前記下げ振り糸１の巻き取り方向に付勢されている。下げ振り糸１は、リール２０の外周から、ケース１０内に配置された複数の糸掛けピン１２（１２1 〜１２8 ）のうちのいくつか糸掛けピンに接触するように蛇行し、ケース１０の下端の蓋１３に設けた糸出口１３ａを通ってケース１０の外部へ導出されており、その端部に錘体２が繋着されている。
【００１１】
糸掛けピン１２1 〜１２8 のうち、２本の糸掛けピン１２4 ，１２5 は、調整ツマミ１４に設けられており、この調整ツマミ１４は、ケース１０に所定の角度範囲内で回転可能な状態に設けられている。すなわち、調整ツマミ１４をケース１０の外部から任意の角度だけ回転させることによって、糸掛けピン１２4 ，１２5 も共に回転して、糸掛けピン１２3 〜１２6 間での下げ振り糸１の蛇行角度が変化するので、これによって下げ振り糸１に対する摩擦抵抗を増減させ、下げ振り糸１の下垂長さを調整することができる。
【００１２】
ケース１０の前面の取付面１０ａには、このケース１０（止め針交換機構を備えた下げ振り保持器）を建築物における鉄骨柱に固定するための永久磁石３０が取り付けられており、ケース１０内の上部には、ケース１０（止め針交換機構を備えた下げ振り保持器）を建築物における木製柱等の木部に止着するための止め針４０がケース１０の取付面１０ａに対して略垂直な方向へ移動自在に挿入されている。
【００１３】
止め針４０は、取付面１０ａの上部に開設された小孔１０ｂから突出可能な針本体４１と、その後部の針柄４２からなる。図２にも示すように、針柄４２の前方（図１における左側）には圧縮コイルスプリング４３が配置されており、止め針４０は、この圧縮コイルスプリング４３の伸長方向の付勢力によって、通常は針本体４１が前記小孔１０ｂからケース１０の内部に没入すると共に、針柄４２の後端の頭部４２ａが、ケース１０の背面１０ｃから外部へ突出した状態にある。止め針４０の針柄４２の先端部上面には係合突起４２ｂが形成され、前記針柄４２の下面にはラック状歯部４２ｃ及び複数の係合凹部４２ｄが形成されている。
【００１４】
一方、ケース１０の上端面１０ｄの後部近傍には、図３の斜視図に示すようなスライダ１５が一対の摺動片１５ａ，１５ｂを介して枢結されており、その下面（内側面）外周部には、止め針４０の針柄４２に形成された係合突起４２ｂと干渉可能なストッパ１５ｃが突設されている。このスライダ１５は、通常は図４に実線で示す状態にあってその下面のストッパ１５ｃが、後退位置にある止め針４０の係合突起４２ｂとの係合位置にあり、この状態から一点鎖線で示す状態に角度θだけ角変位させることができ、これに伴って、前記ストッパ１５ｃが係合突起４２ｂとの非係合位置へ変位されるようになっている。また、スライダ１５の上面には溝１５ｄが形成されており、前記角変位は、この溝１５ｄにコインなどを係合することによって行うことができる。
【００１５】
ケース１０内の下部には、ラックプレート５０が止め針４０と略平行な方向へ移動自在に収容され、その後端の頭部５１が前記ケース１０の背面１０ｃの下部に形成された開口部から突没されるようになっている。このラックプレート５０の先端近傍の上面にはラック状歯部５２が形成されている。
【００１６】
ケース１０内には、止め針４０のラック状歯部４２ｃと噛合する第一の歯車部６１及びラックプレート５０のラック状歯部５２と噛合する第二の歯車部６２が形成されたリンク部材６０が、前記止め針４０とラックプレート５０との間に位置して配置されている。このリンク部材６０は、第一の歯車部６１寄りの部分において、ピン軸６３を介してケース１０に回転可能に取り付けられ、付勢手段としての引っ張りコイルスプリング６５によって、時計回りの方向へ付勢されている。第一の歯車部６１及び第二の歯車部６２はいずれも、前記ピン軸６３を中心とする円周に沿って形成されている。また、リンク部材６０には、リール２０を支持している軸２１等との干渉を避けるための円弧状の長孔６４が開設されている。
【００１７】
ケース１０の内側面におけるピン軸６３の外周側には、このピン軸６３の軸心を中心とする円周状の軸受部１６が形成されており、この軸受部１６には、リンク部材６０における軸孔の外周側にこの軸孔を中心とする円周状に段付き形成された環状段差面（図示省略）が摺回動自在に嵌合されている。すなわち、リンク部材６０は、前記軸受部１６によってピン軸６３の周りに回転可能に支持されている。
【００１８】
ケース１０の背面１０ｃにおける針柄４２の突出位置の下側には、ロック部材１７が上下摺動可能に設けられており、このロック部材１７の上端部を前記針柄４２の下面の係合凹部４２ｄに挿入係合することによって、止め針４０を固定することができるようになっている。
【００１９】
上述の構成を備える止め針交換機構を備えた下げ振り保持器は、止め針４０が後退位置にあってその針本体４１がケース１０内に没入している通常においては、後述する針抜き動作のためのラックプレート５０がケース１０内に収容された状態にある。止め針４０は圧縮コイルスプリング４３によって後退方向へ付勢されているため、針本体４１がケース１０内から不用意に飛び出すようなことはなく、また、この状態においては、針柄４２に形成された係合突起４２ｂが、スライダ１５の下面のストッパ１５ｃに当接しており、これによって止め針４０の後退限度位置が規定され、ケース１０の背面１０ｃ側への脱落が阻止されている。
【００２０】
下げ振りによる鉛直測定作業の際には、取付相手面が鉄骨等からなる場合は永久磁石３０の磁気吸着力によって当該止め針交換機構を備えた下げ振り保持器を所定高さに取り付ける。木材等からなる取付相手面に、止め針４０によって取り付ける場合は、ケース１０の背面１０ｃから突出した針柄４２の頭部４２ａを押圧もしくは叩打することによって止め針４０の針本体４１を木製の相手取付面に刺し込む。すると、ラック状歯部４２ｃと第一の歯車部６１の噛合によってリンク部材６０がピン軸６３を中心として図１に二点鎖線で示す位置へ回転するため、ラック状歯部５２及び第二の歯車部６２を介してラックプレート５０が後退移動し、その頭部５１が図１に二点鎖線で示すようにケース１０の背面１０ｃから突出した状態となる。鉛直測定作業は、上記取付状態において、錘体２を繋着した下げ振り糸１を、糸出口１３ａからケース１０の下方へ繰り出し、鉛直に下垂することによって行う。
【００２１】
測定終了後、止め針交換機構を備えた下げ振り保持器を相手取付面から取り外す場合は、ケース１０の背面１０ｃから突出しているラックプレート５０の頭部５１をケース１０内へ押し込めばよい。すなわち、ラックプレート５０の頭部５１をケース１０内へ押し込むと、リンク部材６０がピン軸６３を中心に図１の時計回りの方向に回転することによって、止め針４０が後退し、相手取付面から引き抜かれる。
【００２２】
止め針４０の針本体４１が曲がったり折損することによって、この止め針４０の交換が必要になった場合は、ケース１０に設けられたスライダ１５を手指でつまむか、あるいはコインなどを溝部１５ｄに係合させて、図４に一点鎖線で示すように角度θだけ角変位させることによって、ストッパ１５ｃを図２に一点鎖線で示すように係合突起４２ｂとの非係合位置へ強制変位させれば、止め針４０を図１に示す後退位置から更に後退させてケース１０から抜き取ることができる。そして新しい止め針４０をケース１０の背面１０ｃ側から図１に示す位置まで挿入したら、スライダ１５を図４に実線で示す位置に復帰させれば、これに伴ってストッパ１５ｃが係合突起４２ｂと干渉可能な位置に復帰して止め針４０を抜け止めする。したがって、この一連の止め針交換作業は、ケース１０の分解や、ケース１０からの何らかの部品の分離を伴わずに行うことができる。
【００２３】
次に図５は、本発明に係る止め針交換機構を備えた下げ振り保持器の第二の実施形態の要部を示す説明図である。この実施形態においては、ケース１０内における止め針４０の針柄４２の収容空間に臨んで、前記ケース１０の上端部内面に板バネ１８が取り付けられており、この板バネ１８の自由端に、前記針柄４２の先端上部に形成された係合突起４２ｂと干渉可能なストッパ１８ａを有する。一方、ケース１０の上端部にはスライダ１９が前後（図の左右方向）摺動可能に設けられており、ケース１０の外部に露出した操作部１９ａの手動操作によって、前記ストッパ１８ａ（板バネ１８）の上面との接触位置又は非接触位置へ選択的に移動されるようになっている。ストッパ１８ａは、板バネ１８の自由端を屈曲することによって下側へ凸の三角形状に形成されたものである。
【００２４】
上述の構成を備える止め針交換機構を備えた下げ振り保持器は、通常においては図５（Ａ）に示すように、スライダ１９がその可動範囲の後端（図における右端）位置にあって、その端部１９ｂが板バネ１８の自由端に形成されたストッパ１８ａの上面に接触しており、このため針柄４２における係合突起４２ｂの後方に形成された係合溝４２ｅ内にある前記ストッパ１８ａは、上方への変位を規制されている。そして針本体４１がケース１０内に没入した後退限度位置にある止め針４０は、その針柄４２に形成された係合突起４２ｂが、スライダ１９によって上方への変位が規制された前記ストッパ１８ａと干渉することによって後退移動が制限され、ケース１０の背面１０ｃ側への脱落が阻止される。
【００２５】
止め針４０の交換を行うような場合は、図５（Ｂ）に示すように、スライダ１９を手指で、あるいはコインなどを用いて前方（図における左側）へ移動させることによって、その端部１９ｂの下面との接触によるストッパ１８ａの変位規制を解除し、ケース１０の背面から突出した針柄４２をつまんで止め針４０を引き抜き方向へ後退移動させる。すると、ストッパ１８ａは、その先端の下部傾斜面が止め針４０と共に後退移動される係合突起４２ｂと摺接して、板バネ１８の弾性変形を伴いながら上方へ変位され、前記係合突起４２ｂの上に乗り上がる。この時点で、前記ストッパ１８ａは係合突起４２ｂとの干渉による抜け止め機能を失うため、止め針４０をケース１０から抜き取ることができる。
【００２６】
また、新しい止め針４０は、ケース１０の背面１０ｃ側から挿入して行くと、ストッパ１８ａが板バネ１８の弾性変形を伴いながら係合突起４２ｂの上に乗り上がる上述の図５（Ｂ）に示す状態を経て、同（Ａ）に示すように係合溝４２ｅ内に遊嵌される。そして、スライダ１９を手指で後方（図における右側）へ移動させてその端部１９ｂをストッパ１８ａの上面に接触させることにより、このストッパ１８ａの上方変位を規制すれば、止め針４０が抜け止めされる。
【００２７】
【発明の効果】
本発明に係る止め針交換機構を備えた下げ振り保持器によると、次のような効果が実現される。
(1) ケースの分解やケースからの部品の分離を伴わずに止め針の交換が可能であるため、部品を紛失するようなことがない。
(2) ケースに設けられたスライダの操作だけで止め針の引き抜きが可能となるため、交換作業を容易・迅速に行うことができる。
【図面の簡単な説明】
【図１】本発明に係る止め針交換機構を備えた下げ振り保持器の好ましい第一の実施形態を示す内部構造説明図である。
【図２】上記実施形態の止め針交換機構を備えた下げ振り保持器における止め針をコイルスプリング及びストッパと共に示す斜視図である。
【図３】上記実施形態の止め針交換機構を備えた下げ振り保持器におけるスライダを示す斜視図である。
【図４】上記実施形態の止め針交換機構を備えた下げ振り保持器におけるスライダ及びストッパの作動を示す平面図である。
【図５】本発明に係る止め針交換機構を備えた下げ振り保持器の好ましい第二の実施形態の要部を示すもので、（Ａ）は通常状態、（Ｂ）は止め針の引き抜き過程を示す説明図である。
【符号の説明】
１  下げ振り糸
１０  ケース
１５，１９  スライダ
１５ｃ，１８ａ  ストッパ
１８  板バネ
２０  リール
４０  止め針
４１  針本体
４２  針柄
４２ｂ  係合突起
【図１】
0003699547.tif 000002
【図２】
0003699547.tif 000003
【図３】
0003699547.tif 000004
【図４】
0003699547.tif 000005
【図５】
0003699547.tif 000006